(57)【要約】ヘルメットは、外面と、外面と反対側にある内面とを有する外側シェルを備え得るが、外側シェルの内面が、一体形成された係止機構を備える。ヘルメットはまた、発泡材料から形成され、外側シェルの内側に外側シェルの内面に隣接して配設される係止ライナーを備え得る。係止ライナーは、外側シェルの下側縁部と外側シェルの頂部との間にフィットするような大きさの少なくとも１つのサイドピース、外側シェルの頂部に配設され、中央開口部を有する頂部ピース、及び中央開口部内にフィットするような大きさの回転可能な発泡体係止ピースであって、外側シェルの一体形成された係止機構にかみ合い可能に連結し、係止ライナーを外側シェルに解除可能に連結するような大きさのタブを備える、回転可能な発泡体係止ピースを更に備え得る。
2017509808.tif 000002
【特許請求の範囲】
【請求項１】
外面と、該外面と反対側の内面とを有する外側シェルであって、該外側シェルの前記内面が一体形成された係止機構を備える外側シェル、及び
発泡材料から形成され、前記外側シェル内に、該外側シェルの前記内面に隣接して配設される係止ライナーを備えるヘルメットであって、前記係止ライナーが、
前記外側シェルの下側縁部と前記外側シェルの頂部との間にフィットするような大きさの、少なくとも１つのサイドピース、
前記外側シェルの前記頂部に配設され、中央開口部を有する頂部ピース、及び
前記中央開口部内にフィットするような大きさの回転可能な発泡体係止ピースであって、前記外側シェルの前記一体形成された係止機構にかみ合い可能に連結し、前記係止ライナーを前記外側シェルに解除可能に連結するような大きさのタブを備える回転可能な発泡体係止ピースを更に備える、ヘルメット。
【請求項２】
前記回転可能な発泡体係止ピースと前記外側シェルの前記一体形成された係止機構との機械的接続部により、面ファスナーも接着剤もなしで、前記係止ライナーが前記外側シェルに解除可能に連結される、請求項１に記載のヘルメット。
【請求項３】
前記回転可能な発泡体係止ピースが、前記外側シェルの前記一体形成された係止機構に、回転可能に係合するのを可能にする円形のフットプリントを、前記回転可能な発泡体係止ピースが有する、請求項２に記載のヘルメット。
【請求項４】
前記一体形成された係止機構が、
前記外側シェルの前記内面から離れるように、遠位端部に向かって延びる垂直部位、及び
前記垂直部位の前記遠位端部から延びて、前記回転可能な発泡体係止ピースの前記タブを受容するような大きさの隙間を形成する水平部位を備える、請求項３に記載のヘルメット。
【請求項５】
前記係止ライナーの前記発泡体及び前記回転可能な発泡体係止ピースが、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含む、請求項４に記載のヘルメット。
【請求項６】
前記少なくとも１つのサイドピースが、該少なくとも１つのサイドピースの上側縁部に沿った第１リップを備え、
前記頂部ピースが、該頂部ピースの下側縁部に配設され、前記第１リップとかみ合い可能に連結されるような大きさの第２リップを備え、かつ前記中央開口部の周囲に配設される第３リップを更に備え、かつ、
前記回転可能な発泡体係止ピースが、該回転可能な発泡体係止ピースの縁部の周囲に第４リップを備え、該第４リップが前記第３リップとかみ合い可能に連結され、かつ前記頂部ピースと前記少なくとも１つのサイドピースとを、前記外側シェルに解除可能に連結するような大きさである、請求項５に記載のヘルメット。
【請求項７】
前記頂部ピースが、非円形のフットプリントを有する、請求項２に記載のヘルメット。
【請求項８】
任意追加的に用いられる接着剤又は面ファスナーが、前記係止ライナーの１つの部位と前記外側シェルの前記内面との間に配設され、前記回転可能な発泡体係止ピースと前記外側シェルの前記一体形成された係止機構との前記機械的接続部と共に、前記係止ライナーを前記外側シェルに解除可能に連結する、請求項１に記載のヘルメット。
【請求項９】
外面と、該外面と反対側の内面とを有する外側シェルであって、該外側シェルの前記内面が係止機構を備える外側シェル、及び、
発泡材料から形成され、前記外側シェル内に配設される係止ライナーを備えるヘルメットであって、前記係止ライナーが、
開口部を有する頂部ピース、及び
前記開口部内にフィットするような大きさの発泡体係止ピースであって、前記外側シェルの前記係止機構にかみ合い可能に連結し、前記係止ライナーを前記外側シェルに解除可能に連結するような大きさのタブを備える発泡体係止ピースを更に備える、ヘルメット。
【請求項１０】
前記発泡体係止ピースと前記外側シェルの前記係止機構との機械的接続部により、面ファスナーも接着剤もなしで、前記係止ライナーが前記外側シェルに解除可能に連結される、請求項９に記載のヘルメット。
【請求項１１】
前記発泡体係止ピースが、前記外側シェルの前記係止機構に、回転可能に係合するのを可能にする円形のフットプリントを、前記発泡体係止ピースが有する、請求項１０に記載のヘルメット。
【請求項１２】
前記係止機構が、
前記外側シェルの前記内面から離れるように、遠位端部に向かって延びる垂直部位、及び、
該垂直部位の前記遠位端部から延びて、前記回転可能な発泡体係止ピースの前記タブを受容するような大きさの隙間を形成する水平部位を備える、請求項９に記載のヘルメット。
【請求項１３】
前記係止ライナーの前記発泡体及び前記発泡体係止ピースが、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含む、請求項９に記載のヘルメット。
【請求項１４】
任意追加的に用いられる接着剤又は面ファスナーが、前記係止ライナーの１つの部位と前記外側シェルの前記内面との間に配設され、前記発泡体係止ピースと前記外側シェルの前記係止機構との機械的接続部と共に、前記係止ライナーを前記外側シェルに解除可能に連結する、請求項９に記載のヘルメット。
【請求項１５】
請求項９に記載のヘルメットを組み立てる方法であって、
前記少なくとも１つのサイドピースを、前記外側シェルの内側に配設すること、並びに
前記回転可能な発泡体係止ピースを、前記外側シェルの内側に配設すること、及び前記回転可能な発泡体係止ピースが、前記外側シェルの前記一体形成された係止機構に解除可能に連結されるように、前記回転可能な発泡体係止ピースを回転させること、を含む方法。
【請求項１６】
外面と、該外面と反対側の内面とを有する外側シェルであって、前記外側シェルの前記内面が係止機構を備える外側シェル、及び、
発泡材料から形成され、前記外側シェルの内側に配設される係止ライナーであって、前記外側シェルの前記係止機構とかみ合い可能に連結し、前記係止ライナーを前記外側シェルに解除可能に連結するような大きさであるタブを備える発泡体係止ピースを備える、係止ライナーを備える、ヘルメット。
【請求項１７】
前記発泡体係止ピースが、前記外側シェルの前記一体形成された係止機構に、回転可能に係合するのを可能にする円形のフットプリントを、前記発泡体係止ピースが有する、請求項１６に記載のヘルメット。
【請求項１８】
前記一体形成された係止機構が、
前記外側シェルの前記内面から離れるように、遠位端部に向かって延びる垂直部位、及び、
該垂直部位の前記遠位端部から延びて、前記発泡体係止ピースのタブを受容するような大きさの隙間を形成する水平部位を備える、請求項１７に記載のヘルメット。
【請求項１９】
前記係止ライナーが、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含む、請求項１８に記載のヘルメット。
【請求項２０】
任意追加的に用いられる接着剤又は面ファスナーが、前記係止ライナーの１つの部位と前記外側シェルの前記内面との間に配設され、前記発泡体係止ピースと前記外側シェルの前記一体形成された係止機構との前記機械的接続部と共に、前記係止ライナーを前記外側シェルに解除可能に連結する、請求項１９に記載のヘルメット。
【発明の詳細な説明】
【技術分野】
【０００１】
（関連出願の相互参照）
本出願は、２０１４年４月１日出願の米国仮特許出願第６１／９７３，３９６号、表題「Ｌｏｃｋｉｎｇ  Ｌｉｎｅｒ  ｆｏｒ  Ｈｅｌｍｅｔ」の利益を主張するものであり、その開示全体は、参照により本明細書に組み込まれる。
【０００２】
（発明の分野）
本開示は、係止ライナーを備えたヘルメット、並びにその製造方法及び使用方法に関する。係止ライナーは、ヘルメットの外側シェル（帽体）の内部に配設され得るものであり、かつ、ヘルメットの性能向上と、エネルギーのより良い管理のために、係止ライナーは、外側シェルに係止可能に連結され得るものである。
【背景技術】
【０００３】
保護用ヘッドギア及びヘルメットは、多様な用途において、かつ使用者の頭部及び脳への損傷を防止するために、スポーツ、陸上競技、建築、鉱業、軍事防衛、及び他のものを含むいくつかの産業にわたって使用されている。硬い物体や鋭利な物体が、使用者の頭部に直接接触するのを防ぐヘルメットを着用することによって、使用者が損傷及び怪我することを防いだり、あるいはそうした事態が発生するのを減少させたりすることが可能である。衝撃のエネルギーを吸収、分配、又はその他の方法で管理するヘルメットを着用することによっても、使用者が損傷及び怪我することを防いだり、あるいはそうした事態が発生するのを減少させたりすることが可能である。
【０００４】
異なるタイプのヘルメットが、異なる産業分野及び異なる用途でこれまで用いられてきたが、その多くは以下のものに含まれる。例えば、米国特許第３，３４４，４３３号（以下、「４３３特許」と呼ぶ）には、ヘルメットの帽体に、面ファスナーにより脱着可能に取り付けられたライナーを有する、ヘルメットの帽体が記載されている。米国特許第３，１９２，５３６号（以下、「５３６特許」と呼ぶ）には、ヘルメットの帽体に、留め金又はリベットにより取り付けられたストラップ、ウェッブ、又は吊り下げ式ライナーを有するヘルメットの帽体が記載されている。４３３特許及び５３６特許のそれぞれについて、図１Ａ及び１Ｂを見ながら以下に簡単に論じておく。
【０００５】
図１Ａは、４３３特許の図２に示すヘルメットに類似の、ヘルメット１０へのアプローチを示す。図１Ａに示すように、ヘルメット１０は、中に多くの取り外し可能なインサート又はパッド１４が配置されるライナー１２を備え得る。おのおののパッド１４は、例えば面ファスナー片のような、対になっている嵌合片１６により、ライナー１２に固定することが可能である。発泡体の裏張り又は片１６上の接着剤により、対になっている片１６のそれぞれの片を、ライナー１２に接着することが可能である。パッド１４をライナー１２に対して押し付け、嵌合片１６の嵌合を実現して、パッド１４を所定の位置に固定することが可能であり、かつパッド１４をライナー１２から引きはがして、嵌合片１６をパッド１４のライナー１２への保持から解放することで、パッド１４をライナー１２から取り外すことが可能である。
【０００６】
図１Ｂは、図１Ａのヘルメット１０に関して上に論じたアプローチとは非常に異なる、ヘルメット２０へのアプローチを示す。図１Ｂは、５３６特許の図９に示されているヘルメットに類似のヘルメット２０を示す。図１Ｂに示すように、ヘルメット２０は、グラスファイバー、金属、又はプラスチック製の帽体２２と、ヘッドバンド２４とを備え得るが、ヘッドバンド２４の部位２５を、帽体２２に型成形され得るスロット構造部２６内に配置することによって、ヘッドバンド２４は帽体２２に結合されるようになっている。ヘッドバンド２４は更に、ヘルメット２０着用者の頭部の上を通るストラップ２８と連結され得るが、ストラップ２８は、着用者の頭部に対するシートを形成し、かつ着用者の頭部と帽体２２の内面頂部との間にある所定の距離を保つようになっている。
【先行技術文献】
【特許文献】
【０００７】
【特許文献１】米国特許第３，３４４，４３３号明細書
【特許文献２】米国特許第３，１９２，５３６号明細書
【発明の概要】
【課題を解決するための手段】
【０００８】
改良されたヘルメットを望む声が存在している。したがって、１つの態様においては、ヘルメットは、外面と、外面と反対側にある内面とを有する外側シェルを備え得るが、外側シェルの内面が、一体形成された係止機構を備える。ヘルメットは、発泡材料から形成され、外側シェルの内側に外側シェルの内面に隣接して配設される係止ライナーを備え得る。係止ライナーは、外側シェルの下側縁部と外側シェルの頂部との間にフィットするような大きさの、少なくとも１つのサイドピースを更に備え得る。係止ライナーは、外側シェルの頂部に配設される頂部ピースを備え、かつ中央開口部を備え得る。係止ライナーは、中央開口部内にフィットするような大きさの回転可能な発泡体係止ピースを備え得るが、その係止ピースは、外側シェルの一体形成された係止機構にかみ合い可能に連結し、係止ライナーを外側シェルに解除可能に連結するような大きさのタブを備える。
【０００９】
ヘルメットは、回転可能な発泡体係止ピースと、外側シェルの一体形成された係止機構との間の機械的接続部により、面ファスナーも接着剤もなしで、外側シェルに解除可能に連結された係止ライナーを更に備え得る。回転可能な発泡体係止ピースは、回転可能な発泡体係止ピースが、外側シェルの一体形成された係止機構と回転可能に係合するのを可能にするための円形のフットプリントを有し得る。一体形成された係止機構は、外側シェルの内面から離れて遠位端部に向かって延びる垂直部位と、垂直部位の遠位端部から延びて、回転可能な発泡体係止ピースのタブを受容するような大きさの隙間を形成する水平部位と、を備え得る。係止ライナーの発泡体及び回転可能な発泡体係止ピースは、発泡ポリプロピレン（ＥＰＰ）、発泡ポリスチレン（ＥＰＳ）、発泡ポリウレタン（ＥＰＵ）、又は発泡ポリオレフィン（ＥＰＯ）を含み得る。少なくとも１つのサイドピースは、少なくとも１つのサイドピースの上側縁部に沿った第１リップを備え得るが、頂部ピースは、頂部ピースの下側縁部に配設され、第１リップとかみ合い可能に連結するような大きさの第２リップを備え得る。また頂部ピースは、中央開口部の周囲に配設される第３リップを更に備え、回転可能な発泡体係止ピースは、回転可能な発泡体係止ピースの縁部周囲にあり、第３リップとかみ合い可能に連結し、かつ頂部ピースと少なくとも１つのサイドピースとを外側シェルに解除可能に連結するような大きさの第４リップを備え得る。頂部ピースは、非円形のフットプリントを有し得る。任意追加の接着剤又は面ファスナーが、係止ライナーの一部位と外側シェルの内面との間に配設され得るが、それにより、回転可能な発泡体係止ピースと外側シェルの一体形成された係止機構との機械的接続部と共に、係止ライナーを外側シェルに解除可能に連結する。
【００１０】
別の態様においては、ヘルメットは、外面と、外面と反対側にある内面とを有する外側シェルを備え得るが、外側シェルの内面が、係止機構を備える。ヘルメットは、発泡材料から形成され、外側シェルの内側に配設される係止ライナーを備え得る。係止ライナーは、開口部を有する頂部と、その開口部内にフィットするような大きさの発泡体係止ピースを更に備え、かつ発泡体係止ピースは、外側シェルの係止機構にかみ合い可能に連結し、係止ライナーを外側シェルに解除可能に連結するような大きさのタブを備える。
【００１１】
ヘルメットは、発泡体係止ピースと外側シェルの係止機構との機械的接続部により、面ファスナーも接着剤もなしで、外側シェルに解除可能に連結された係止ライナーを更に備え得る。発泡体係止ピースは、発泡体係止ピースが、外側シェルの係止機構と回転可能に係合するのを可能にするための円形のフットプリントを有し得る。係止機構は、外側シェルの内面から離れて遠位端部に向かって延びる垂直部位と、垂直部位の遠位端部から延びて、回転可能な発泡体係止ピースのタブを受容するような大きさの隙間を形成する水平部位と、を備え得る。係止ライナーの発泡体及び発泡体係止ピースは、ＥＰＰ、ＥＰＳ、ＥＰＵ、又はＥＰＯを含み得る。任意追加の接着剤又は面ファスナーが、係止ライナーの一部位と外側シェルの内面との間に配設され得るが、それにより、発泡体係止ピースと外側シェルの係止機構との機械的接続部と共に、係止ライナーを外側シェルに解除可能に連結する。ヘルメットを組み立てる方法は、少なくとも１つのサイドピースを外側シェルの内側に配設すること、並びに回転可能な発泡体係止ピースを外側シェルの内側に配設すること、及び、回転可能な発泡体係止ピースを回転させて、回転可能な発泡体係止ピースが、外側シェルの一体形成された係止機構に解除可能に連結されるようにすること、を含み得る。
【００１２】
別の態様においては、ヘルメットは、外面と、外面と反対側にある内面とを有する外側シェルを備え得るが、外側シェルの内面が、係止機構を備える。発泡材料から形成される係止ライナーは、外側シェルの内側に配設され得るが、係止ライナーは、発泡体係止ピースを備え、発泡体係止ピースは、外側シェルの係止機構とかみ合い可能に連結し、係止ライナーを外側シェルに解除可能に連結するタブを備える。
【００１３】
ヘルメットは、発泡体係止ピースが外側シェルの一体形成された係止機構と回転可能に係合するのを可能にする、円形のフットプリントを有する発泡体係止ピースを更に備え得る。一体形成された係止機構は、外側シェルの内面から離れて遠位端部に向かって延びる垂直部位と、垂直部位の遠位端部から延びて、発泡体係止ピースのタブを受容するような大きさの隙間を形成し得る水平部位と、を備え得る。係止ライナーは、ＥＰＰ、ＥＰＳ、ＥＰＵ、又はＥＰＯを含み得る。任意追加の接着剤又は面ファスナーが、係止ライナーの一部位と外側シェルの内面との間に配設され得るが、それにより、発泡体係止ピースと外側シェルの一体形成された係止機構との機械的接続部と共に、係止ライナーを外側シェルに解除可能に連結する。
【図面の簡単な説明】
【００１４】
【図１Ａ】先行技術において既知の保護ヘルメットの実施形態を示す。
【図１Ｂ】先行技術において既知の保護ヘルメットの実施形態を示す。
【図２Ａ】係止ライナーを備えるヘルメットの外側部位と内側部位とをそれぞれ示す。
【図２Ｂ】係止ライナーを備えるヘルメットの外側部位と内側部位とをそれぞれ示す。
【図３Ａ】保護ヘルメットの外側シェルの内側に配設される係止ライナーの様々な部位の図を示す。
【図３Ｂ】保護ヘルメットの外側シェルの内側に配設される係止ライナーの様々な部位の図を示す。
【図３Ｃ】保護ヘルメットの外側シェルの内側に配設される係止ライナーの様々な部位の図を示す。
【図３Ｄ】保護ヘルメットの外側シェルの内側に配設される係止ライナーの様々な部位の図を示す。
【図３Ｅ】保護ヘルメットの外側シェルの内側に配設される係止ライナーの様々な部位の図を示す。
【図３Ｆ】保護ヘルメットの外側シェルの内側に配設される係止ライナーの様々な部位の図を示す。
【図３Ｇ】保護ヘルメットの外側シェルの内側に配設される係止ライナーの様々な部位の図を示す。
【図３Ｈ】保護ヘルメットの外側シェルの内側に配設される係止ライナーの様々な部位の図を示す。
【図３Ｉ】保護ヘルメットの外側シェルの内側に配設される係止ライナーの様々な部位の図を示す。
【図３Ｊ】保護ヘルメットの外側シェルの内側に配設される係止ライナーの様々な部位の図を示す。
【発明を実施するための形態】
【００１５】
本開示、その態様、及び実現例は、本明細書に開示される特定のヘルメット若しくは材料種類、又はシステム構成要素例、又は方法に限定されない。ヘルメット製造にふさわしい当該技術分野において既知の多くの追加の構成要素、製造、及び組み立て手順は、本開示の特定の実現例と共に使用することが想到される。したがって、例えば、特定の実現例が開示されるが、このような実現例及び実施構成要素は、意図される動作にふさわしい、このようなシステム及び実施構成要素のための、当該技術分野において既知の任意の構成要素、モデル、種類、材料、バージョン、数量などを含み得る。
【００１６】
用語「代表的な」「実施例」、又はこれらの様々な変形は、実施例、例、又は例示として機能することを意味している。本明細書において「代表的」又は「実施例」として記載される態様又は設計は、他の態様又は設計よりも好ましいか、又は有利であるものと解釈される必要は必ずしもない。更に、実施例は、明瞭性及び理解の目的のためだけに提供されるのであって、開示される主題、又は本開示の関連部分を制限又は制約することを意図するものでは決してない。範囲の異なる多数の追加的又は代替的な実施例を提示することもできるが、簡潔性のために省略されていることを理解すべきである。
【００１７】
本開示は、多くの異なる形態の多数の実施形態を含むが、特定の実施形態が詳細に、図面に示され本明細書に記載され、本開示は、開示される方法及びシステムの原理の具体例として見なされるべきであり、本開示の概念の広範な態様を、例示される実施形態に限定することは意図されないものと理解される。
【００１８】
本開示は、外側シェルと、内側の、発泡体のようなエネルギー吸収層とを含むヘルメット又は保護ヘッドギアであって、サイクリスト、アメリカンフットボール選手、アイスホッケー選手、野球選手、ラクロス選手、ポロ選手、登山者、オートレーサ、オートバイライダー、モトクロスレーサ、スキーヤー、スノーボーダ、他のスノー若しくはウォータアスリート、スカイダイバ、又は任意の他のスポーツアスリートのために使用することができるヘルメット又は保護ヘッドギアを提供するためのデバイス、装置、システム、及び方法を提供する。他にも保護ヘッドウェアを用いる産業があり、例えば、建設作業員、兵士、消防士、パイロット、又は同様のタイプの仕事や活動のような産業や仕事に従事する個人も、同様の技術及び方法が適用可能な安全ヘルメットを用いることが可能であり、あるいはそのようなヘルメットを必要としている。上にリストアップされたスポーツ、職業、又は活動のそれぞれは、一回の衝撃又は多数回の衝撃に対する耐性評価をされた保護材料ベースを含むヘルメットを用いることができ、そのヘルメットは典型的には（常にではないが）、装飾的なカバーにより外側を被覆され、かつ快適性材料（通常は、快適性パッドの形態で提供される）を内側の少なくとも複数部位に含む。
【００１９】
一般に、上にリストアップした保護ヘルメットのような保護ヘルメットは、外側シェルと、内側のエネルギー吸収材とを備え得る。便宜上、保護ヘルメットは、型内成形ヘルメット又は硬質帽体ヘルメットのいずれかに大きく分類され得る。型内成形ヘルメットは、１つの層、又は２つ以上の層を備え得るが、後者は、薄い外側シェル、エネルギー吸収層又は耐衝撃ライナー、及び快適性ライナー又はフィットライナーを含む。硬質帽体ヘルメットは、硬質の外側シェル、耐衝撃ライナー、及び快適性ライナーを備え得る。硬質の外側シェルは、射出成形により形成することが可能であり、アクリロニトリル−ブタジエン−スチレン（ＡＢＳ）プラスチック又は他の同様の材料若しくは好適な材料を含み得る。硬質帽体ヘルメット用の外側シェルは、典型的に、衝撃及び穿刺に抵抗するのに、かつ関連する安全試験基準を満たすのに十分に硬質にされると同時に、変形によるエネルギーを吸収するように衝撃中にわずかに変形するのに十分に可撓性であり、それによりエネルギー管理に寄与する。硬質帽体ヘルメットは、スケート用バケツ型ヘルメット、オートバイ用ヘルメット、ウィンタースポーツ及びウォータースポーツ用ヘルメット、アメリカンフットボール用ヘルメット、打者用ヘルメット、捕手用ヘルメット、アイスホッケーのヘルメット、及びＢＭＸ乗車及びレース用ヘルメットとして用いることが可能である。本開示に提示される様々な態様及び実現例は、硬質帽体ヘルメット又は外側シェルを備えるヘルメットを含む実施形態に焦点を当てているが、本開示はまた、本明細書において論じる原理と特徴が有利に適用できるその他のヘルメット、用途、及び実施形態にも関連し、適用されるものである。そのため、本明細書で論じる係止ライナーヘルメットは、本明細書において論じる追加的な利益を得るために、従来のヘルメットが用いられるところではどこでも採用することができる。
【００２０】
図２Ａ及び２Ｂは、外側シェル５０と係止ライナー６０とを備えるヘルメット４０の外側部位と内側部位とをそれぞれ示す。より具体的には、図２Ａは、外側シェル５０の外面５２を含む、ヘルメット４０の側面像を示す。外側シェル５０は、可撓性のある、半可撓性のある、又は剛性のある材料から製造され得るが、ポリカーボネート（ＰＣ）、ポリエチレンテレフタレート（ＰＥＴ）、アクリロニトリルブタジエンスチレン（ＡＢＳ）、ポリエチレン（ＰＥ）、ポリビニルクロライド（ＰＶＣ）、ビニルニトリル（ＶＮ）を含む可塑性材料、樹脂、繊維、グラスファイバー、カーボンファイバー、ケブラー、又はその他の好適な材料を含み得る。外側シェル５０は、打ち抜き加工、型内成形、射出成形、真空形成、又はその他の好適な工程による形成によって作成できる。外側シェル５０はまた、滑らかなエアロダイナミックな仕上げ、装飾的な仕上げ、又はその両方を、性能の向上、美観の向上、又はその両方のために提供することができる。非限定的な実施例として、外側シェル５０は、射出成形で形成したＡＢＳであり得る。
【００２１】
外側シェル５０はまた、多くのリベット、ネジ、又はその他の締結デバイス４２を含み得るが、それらは、ストラップをヘルメット４０に固定するため、またヘルメット４０を、ヘルメット４０を着用する使用者の頭部に、しっかりとかつ解除可能に連結するために外側シェル５０に取り付けることが可能な、金属、プラスチック、又はその他の好適な材料から作製され得る。図２Ａに示すように、リベット４２は、外側シェル５０の、こめかみタブ４６及び襟タブ４８を含む、様々な部位に配置できる。図２Ａに示すように、こめかみタブ４６及び襟タブ４８は、外側シェル５０の外側縁部で、使用者の耳のための凹部又は開口部に隣接して位置する、外側シェル５０の部位であり得る。
【００２２】
図２Ａはまた、通気性の向上をもたらし、ヘルメットを通過する空気の流れを増やすために、外側シェル５０を貫通することを含めてヘルメット４０を貫通する、開口部又は空隙部として形成可能な複数のベント穴４４を示す。図２Ａに示されるように、係止ライナー６０（これについては後程詳しく論じる）の一部位が、ベント穴４４を通して見えている。
【００２３】
図２Ｂは、ヘルメット４０の下側の斜視図を示し、外側シェル５０の一部位と、図２Ａにおいては外側シェル５０によりブロックされていた、係止ライナー６０の追加的な詳細とが示されている。図２Ｂは、ヘルメット４０がその正立させたポジションをひっくり返して示しており、それによって、係止ライナー６０と、使用者の頭部がその中に配設されるヘルメット４０の内側の空間と、をより良く図示している。便宜上、外側シェル５０を、本開示を通じて、「外側」シェルと呼ぶが、「外側」という用語は、外側シェル５０の、係止ライナー６０及びヘルメット４０が使用者により着用された際の使用者の頭部に対する相対的な位置を説明するために用いる。外側シェル５０は、ヘルメット４０の最外層であり得るがそうである必要は必ずしもないため、追加的な層、ライナー、カバー、又はシェルを、外側シェル５０の外側に形成することが可能である。同様に、便宜上係止ライナー６０は、「内側」位置又は外側シェル５０の内部に配設されていると呼ばれ得るが、それは、係止ライナー６０が、使用者の頭部により近い側に位置していることを示す。しかしながら、係止ライナー６０は、ヘルメット４０の最内層であり得るがそうである必要は必ずしもないため、図３Ｊに関連して後程示し、説明するように、係止ライナー６０より内側に、追加的な層、ライナー、カバー、又はパッドを、追加的に配設することが可能である。
【００２４】
図２Ｂに示すように、係止ライナー６０は、外側シェル５０の内側にかつ外側シェル５０に隣接して配設され得る。係止ライナー６０は、プラスチック、ポリマー、発泡体、若しくはその他の好適なエネルギー吸収材料から作製される１つ以上のエネルギー吸収材料層から形成され得るが、あるいは係止ライナー６０は、エネルギーを吸収し、そらせ、又はその他の方法で管理して、着用者を衝撃の間保護するためにエネルギーを管理するのに貢献するための耐衝撃ライナーから形成され得る。係止ライナー６０は、ＥＰＰ、ＥＰＳ、ＥＰＵ、ＥＰＯ、ビニルニトリル（ＶＮ）、又は、折り曲がる、屈曲する、押し潰れる、又はひび割れることにより、衝撃からのエネルギーを管理し、吸収し、又はそらせるその他の好適な材料を含み得るが、それらに限られない。係止ライナー６０は、外側シェル５０の内面５４の輪郭に接しかつ沿う外面と、使用者の頭部の輪郭に接しかつ沿う内面とを含む、任意の好ましい形状に形成され得る。
【００２５】
図２Ｂはまた、係止ライナー６０が、多くの部位から又は複数の部位から形成され得るということも示す。係止ライナー６０は、複数又は１つ以上のサイドピース７０、１つの頂部ピース又はクラウンピース８０、及び１つの係止ピース９０を含み得るが、これらのピースのそれぞれについては、図３Ａ〜３Ｊに関連して、後程詳しく論じる。サイドピース７０、頂部ピース８０、及び係止ピース９０を含む係止ライナー６０は、外側シェル５０の内面５４に隣接して、それに直接に接して、又はそれからずれて配設され得るが、ここで内面５４は、外側シェル５０の、外面５２とは反対側にある面である。
【００２６】
図３Ａ〜３Ｊは、係止ライナー６０の係止ピース９０を、外側シェル５０の内面５４に形成又は配設される係止機構５６に、機械的に連結することによって、いかにして係止ライナー６０が、外側シェル５０に解除可能に連結され得るかを図に表したものを提供する。
【００２７】
図３Ａは、図２Ｂに先に示した例示的ヘルメットの外側シェルの斜視図を示すが、図２Ｂとは異なって、図３Ａにおいて提示される図中では、係止ライナー６０が外側シェル５０の内側にまだ挿入されていない。それゆえ、図３Ａは、外側シェル５０の、係止機構５６を含む内面５４について、追加的な詳細を提示する。係止機構５６は、外側シェル５０の内面５４の上に、内面５４に、内面５４の近くに形成された、１つ以上のフランジ、クリップ、フック、チャネル、球溝、枝、クリップ、ラッチ、凹み、タブ、又はその他の好適な構造を有し得るが、そのサイズ又は形状は、係止ライナー６０の少なくとも一部位、例えば係止ピース９０に解除可能に連結されるようになっている。１つの実施形態においては、図３Ａに示すように、係止機構５６は、それぞれから離間した又はそれぞれから位置のずれた多くのピース又はセグメントから形成され得る。
【００２８】
図３Ａは、係止機構５６が２つのピースから形成され得る１つの実施形態を示すが、その係止機構は、単独・単一のピース、３つのピース、４つのピース、又は任意の数のピースからも形成され得る。係止機構５６の１つ以上のピースのそれぞれは、係止ライナー６０に解除可能に連結されるために任意の好適な形状、サイズ、形態、又は設計を有し得る。図３Ａは、係止機構５６の複数のピースが、外側シェル５０と一体形成され得るだけでなく、外側シェル５０の内面５４から延び得る１つの実施形態を描いている。非限定的な実施例の１つとして、係止機構５６は、ＡＢＳを射出形成して外側シェル５０を形成するのと同じ型、同じ時間で、ＡＢＳを射出成型することにより形成され得る。あるいは、係止機構５６は、外側シェル５０の形成とは別の時間で形成可能であり、係止機構５６が外側シェル５０と一体形成されず、別々に形成され、外側シェル５０に別々に追加又は連結され得る。
【００２９】
係止機構５６のそれぞれのピースは、１つ以上の部位から形成し得る。図３Ａは、非限定的な１つの実施例を示し、係止機構５６は、第１及び第２ピースのそれぞれが５６という符号がついており、垂直部位５７と水平部位５８とを備え得るが、垂直部位は外側シェル５０の内面５４から遠位端部へと延び、水平部位５８は、垂直部位５７の遠位端部から延びて、空隙又はギャップ５９を、水平部位５８と内面５４との間に形成するようになっている。内面５４は、係止ピース９０のタブ又は係止ピース９０の一部位を受容するような大きさ及び形状に成形されている。係止ピース９０は、回転可能な発泡体係止ピースとして後程、図３Ｆ〜３Ｉに関連して論じるように構成され得る。
【００３０】
図３Ａはまた、係止機構５６の第１及び第２部位が円形状に形成されているか、又は、円形のフットプリントを有する１つの実施形態を示しており、その円形状は、完全な円でも、部分的円でも、３次元的に分布した球形状で、らせんまたはねじ溝として形成されたものでもよく、係止機構５６と、係止ライナー６０、例えば係止ピース９０との間の解除可能な連結を、係止機構５６と係止ピース９０との間の回転、すなわち相対的な回転動作により容易にし得るものである。一部の実施形態においては、１つ以上のピースを含む単一の係止機構５６がヘルメット４０の内側で中央に位置し、外側シェル５０の内面５４上でヘルメット４０の頂部又はクラウン部位のような中央に位置し得るが、係止機構５６は、外側シェル５０と係止ライナー６０との間の界面の、任意の好適な地点に位置することが可能である。他の実施形態においては、複数の、１つ以上のピースを含む係止機構５６が、外側シェル５０の内面５４に沿って又は内面５４の全体にわたって、多くの地点に配設され得る。
【００３１】
１つ以上の係止機構５６を用いることにより、係止ライナー６０は、接着剤を使うことなく、又は、後程詳しく論じる、無糊剤アッセンブリの一部として、外側シェル５０に解除可能に連結され得る。あるいは、何らかの糊剤又はその他の接着剤を、係止機構５６と係止ライナー６０とに加えて使用することが可能である。更に他の実施形態においては、係止ライナー６０は、ベント穴４４の一部として、又はベント穴４４との間の、外側シェル５０のその他の穴若しくは開口部との間の、又は、その他のエネルギー管理層若しくはライナーとの間の、インターフェイスとして形成可能な、係止機構５６に連結され得る。
【００３２】
図３Ｂは、図３Ａに提示された図に類似の、外側シェルの斜視図を示す。図３Ｂは、外側シェル５０内に配設された係止ライナー６０の一部位を含んだという点で、図３Ａとは違っている。より具体的には、係止ライナー６０は少なくとも１つの係止め部位と少なくとも１つの非係止部位とを含む。
【００３３】
係止ライナー６０の係止部位は、係止機構５６と直接に接する、係止ライナー６０の一部位であり得る。説明の便宜上の理由であって、限定するためでないものとして、係止ピース９０は、係止ライナー６０の係止部位を備え得るが、これについては、後程、図３Ｅ〜３Ｉに関連してより詳細に論じる。
【００３４】
係止ライナー６０の非係止部位は、係止機構５６と直接接していない、係止ライナー６０の一部位を含み得る。説明の便宜上の理由で、また限定するためでないものとして、サイドピース７０及び頂部ピース８０は、係止ライナー６０の非係止部位を含み得る。一部の実施形態においては、非係止部位は、発泡材料又はエネルギー吸収材料の単一の、一体の、一体形成されたピースとして形成され得るが、これらは、スロット、チャネル、又は開口部をも含み得、非係止部位にある程度の動きと屈曲とを提供するために提供される。あるいは、図３Ｂ〜３Ｊに示すように、サイドピース７０及び頂部ピース８０のような１つ以上の異なるタイプのピースを、係止ライナー６０の非係止部位は、含み得る。それぞれのタイプのピースもまた、複数のサイドピース７０のような２つ以上のピースを含み得る。係止ライナー６０の、サイドピース７０と頂部ピース８０とを含む非係止部位は、個々別々であり得るが、摩擦により、及びおそらくは任意追加の接着剤により、外側シェル５０内に配設された後に１つに連結され得る。あるいは、係止ライナー６０の、サイドピース７０と頂部ピース８０とを含む非係止部位は、コネクター、ストラップ、コード、ウェビング、ワイヤ、ウェブ、フレーム、可撓性のあるロールケージ、又はその他の好適なデバイスで連結し結合され得る個別のピースであり得る。そのようなデバイスは、プラスチック、金属、布、繊維、又はその他の好適な材料から作製し得、かつ、係止ライナー６０の非係止部位の形成中に型内成形され得るか、又は、係止ライナー６０の非係止部位の型成形又は成形の後で追加され得る。
【００３５】
図３Ｂは、外側シェル５０の内側に、内面５４に隣接して、配設され、外側シェル５０の下側縁部に延びる単一のサイドピース７０を示す。外側シェル５０の下側縁部に対向するサイドピース７０の縁部は、リップ７２を含んで形成され得る。リップ７２は、傾斜、球溝、チャネル、出っ張った棚、ほぞ穴、ほぞ、又は、頂部ピース８０、又は係止ライナー６０の、係止ピース９０のような係止部位と境をなすのによい大きさ又は構成になっているその他の好適な構造物として形成され得る。リップ７２は、サイドピース７０本体の厚さよりも薄い厚さを有し得る。後続の図に関連して示し、説明するように、リップ７２は、サイドピース７０が、ヘルメット４０の内部で、間接的に、例えば頂部ピース８０及び係止ピース９０によって、所定の位置に保持されるのを可能にし、間接的に、係止機構５６と連結されるのを可能にする。
【００３６】
図３Ｃは、外側シェル５０の斜視図を示し、同図は、図３Ｂにおいて提示した図と類似のものであり、しかし外側シェル５０の内側に配設される、係止ライナー６０の追加的なサイドピース７０を更に含んでいる。図３Ｃは、個々のサイドピース７０を外側シェル５４の内側に配置するプロセスの間の、ある瞬間を図示している。個別のサイドピース７０が、外側シェル５０の内側に配設される際には、個別のサイドピース７０は、それぞれ互いの間に空間又は隙間を有し得るか、あるいは互いに接触し、触れ合うように配置され得る。いずれの場合にも、係止ライナー６０の非係止部位又はサイドピース７０は、外側シェル５０の内面５４の側面又は裾部に沿ってエネルギー管理のために提供されており、外側シェル５０の頂部又はクラウン部位の下に配設され、外側シェル５０の内周を一周する。サイドピース７０は、外側シェル５０の内面５４の全周にわたって配設される場合もあり、あるいは、内周の一部、すなわち、一周全体よりも短い部分にわたり配設される場合もある。
【００３７】
係止ライナー６０の全体又は一部、例えば、サイドピース７０、頂部ピース８０、係止ピース９０、又はそれらの部分は、フラットモールディングプロセスにおいて型成形され得る。係止ライナー６０の１つ以上の部位を、フラットモールディングプロセスにおいて形成することにより、多くの利点が実現され得る。まず、フラットモールディングは製造の観点からの利点を提供できるが、それは、フラットな成形型を用いることは、余計な複雑さや可動部品を成形型に必要としないためである。同様に、フラットモールディングは、一度に又は同時に形成される、係止ライナー６０全体又はその大部分を形成するために、湾曲した成形型を必要としない。係止ライナー６０に複数のピースを用いることはまた、ヘルメットの形状に関してより大きな柔軟性を認めることを可能とし、その形状は、成形型から引き出すのに適した形状に依存することがより少なくなってくる。
【００３８】
次に、フラットモールディング、係止ライナー６０に複数のピースを用いること、又はその両方は、係止ライナー６０が、多くの密度を有する又は多密度である発泡体又はエネルギー管理材料を含むことを可能にし得る。例えば、係止ライナー６０の１セグメントは、第１の密度を有し、外側シェル５０に最も近づいて位置する第１の若しくは外側レイヤー、薄層、又はストラータを含み得るが、係止ライナー６０の１セグメントはまた、第１のレイヤーよりも使用者の頭部により近く、外側シェル５４からはより遠くに位置する、第２の密度の第２の若しくは内側レイヤー、薄層、又はストラータを含み得る。第１レイヤーは、第２レイヤーの密度よりも大きい又は小さい密度を有し得る。あるいは、係止ライナー６０においては、それぞれの個別のピース又はセグメントが単一の密度を有し、その単一の密度が、他の個別のピースのものとは異なるようにすることも可能であり、それによって、多密度ライナーの代替的実施形態を形成することができる。
【００３９】
外側シェル５０に、係止ライナー６０の全体又は一部分を取り付けることは、糊剤なし組み立ての一部のようにして、係止ライナー６０が取り外し可能で、かつ外側シェル５０の内側に配設されるようにして実施できる。本明細書において用いられる限り、「糊剤なしの組み立て」とは、係止ライナー６０の全部すなわち全体、又は係止ライナー６０の全部よりも小さい部分が、外側シェル５０に、糊剤、化学的付着剤、結合剤、接着剤、恒久的接着剤、感圧性接着剤（ＰＳＡ）、発泡体コア接着剤、テープ、両面テープ、取付発泡体接着剤、又はその他の類似の付着剤なしで取り付けられるということを意味するが、便宜上、これらのものを、以下ではまとめて接着剤７６と呼ぶこととする。接着剤７６が任意追加的に用いられる場合には、接着剤７６は、外側シェル５０の内面５４に沿った任意の場所に配設され得るが、そのような場所には、図３Ｃに示すように、外側シェル５０の下側縁部に沿った場所又はその近辺が含まれる。
【００４０】
一部の実施形態においては、接着剤を用いて、係止ライナー６０を外側シェル５０に、間接的に連結することが可能である。例えば、接着剤を用いて、面ファスナー、クリップ、クリート、切り抜き、タブ、止め金、リベット、ホッグリング、又はその他の好適な機械式締結具を、外側シェル５０と係止ライナー６０とに取り付けて、係止ライナー６０が、外側シェル５０に、解除可能に連結され得る。また、接着剤が直接係止ライナー６０又は外側シェル５０についていないので、係止ライナー６０は、外側シェル５０から容易に取り外し可能である。しかしながら、一部の実施形態においては、面ファスナー又はその他の類似の化学的又は機械的取り付け具を使わずに、その代わりに、係止ライナー６０の係止ピース９０と外側シェル５０の係止機構５６との間の接続又はインターフェイスのみに頼って、係止ライナー６０はまた、外側シェル５０に、連結され得る。一部の例においては、係止ライナー６０の係止ピース９０と、外側シェル５０の係止機構５６との間の接続又はインターフェイスの両方、更には例えば、こめかみタブ若しくは襟タブ４８の内側に向けての湾曲、又は外側シェル５０のその他の同様の曲線若しくは保持構造のような、外側シェル５０の下側縁部の湾曲した又は保持用の幾何学的特徴に頼ることで、ヘルメット４０は、係止ライナー６０を、外側シェル５０に連結した状態に保つことが可能である。
【００４１】
図３Ｄは、外側シェル５０の内面５４の内周全体が、係止ライナー６０のサイドピース７０により覆われているか、あるいはサイドピース７０に連結されている時点での、外側シェル５０の斜視図を示す。図３Ｄはまた、係止ライナー６０が、頂部ピース８０を含む１つの実施形態を示し、図中では、頂部ピース８０は、外側シェル５０の内側に、サイドピース７０と接触して配置される前の状態すなわち、外側シェル５０とサイドピース７０との上方に配設されて示されている。
【００４２】
頂部ピース８０もまた、頂部ピース８０の下側縁部に、又は同縁部上に形成又は配設されるリップ８２を有し得る。リップ８２もまた、傾斜、球溝、チャネル、出っ張った棚、ほぞ穴、ほぞ、又は、サイドピース７０、より具体的には、サイドピース７０の頂部縁部上のリップ７２と境をなすのによい大きさ又は構成になっているその他の好適な構造物として形成され得る。リップ８２は、頂部ピース８０本体の厚さよりも薄い厚さを有し得る。リップ８２は、サイドピース７０が、ヘルメット４０の内部で、間接的に、例えば、頂部ピース８０及び係止ピース９０によって、所定の位置に保持されるのを可能にし、間接的に、頂部ピース８０を介して、係止機構５６と連結されるのを可能にする。一部の実施形態においては、リップ８２及びリップ７２は、係止ライナー６０の頂部ピース８０が外側シェル５０の内側に挿入された場合に、係止ライナー６０のサイドピース７０を所定の位置に保持するために互いに接触し得る、対応する、対をなす、又は鏡のイメージの構造として形成され得る。
【００４３】
係止ライナー６０の頂部ピース８０は、頂部ピース８０内に位置し得る開口部又は空隙８４を、更に有し得るが、その開口部又は空隙８４は、係止ライナー６０の係止ピース９０を受容するように構成される。これについては後程、図３Ｅ〜３Ｉに関して更に詳しく論じる。開口部８４は、中央に位置する係止機構５６と位置合わせされるように、頂部ピース８０内の中央に位置し得る。ただし、開口部８４は、頂部ピース８０又は係止ライナー６０内で中央に位置する必要はなく、ヘルメット４０の内部で、任意の好適な地点に位置することが可能である。一部の例においては、開口部８０が複数の開口部を含み、複数の係止機構５６と位置合わせされ得る。
【００４４】
開口部８４は、開口部８４に隣接して又はその内側に形成され又は配設されるリップ８６を更に有し得る。リップ８６は、傾斜、球溝、チャネル、出っ張った棚、ほぞ穴、ほぞ、又は、係止ピース９０と境をなすのによい大きさ又は構成になっているその他の好適な構造物として形成され得る。リップ８６は、頂部ピース８０の本体の厚さよりも薄い厚さを有し得る。リップ８６は、頂部ピース８０が、ヘルメット４０の内部で、係止ピース９０により所定の位置に保持されるのを可能にし、かつ、頂部ピース８０が、間接的に、係止ピース９０を介して、係止機構５６と連結されるのを可能にする。一部の実施形態においては、リップ８６と、係止ピース９０のリップ９２とが、係止ピース９０が開口部８４内に挿入され、係止機構５６に解除可能に連結された場合に、係止ライナー６０をヘルメット４０内の所定の位置に保持するため、互いに接触し得る、対応する、対をなす、又は鏡のイメージの構造として形成され得る。
【００４５】
図３Ｄは、係止ライナー６０の頂部ピース８０がサイドピース７０とは別体の異なるものであり得ることを示しているが、他方で、一部の実施形態においては、頂部ピース８０はまた、サイドピース７０と一体形成され、あるいは、ロールケージ、ストラップ、又は、頂部ピースとサイドピースとを単一のユニットとして１つに保持するためのその他の好適な接続デバイスによって、サイドピース７０に連結され得る。したがって、一部の実施形態においては、頂部ピース８０は、外側シェル５０の頂部から延び、外側シェル５０の下側縁部へと下方向に延びることができるようになっている。いずれの場合にも、頂部ピース８０の少なくとも１つの部位は、ヘルメット４０の頂点部分に、頂部ピース８０が、ヘルメット４０が使用者によって着用された場合に、使用者の頭部の頂部又はクラウンに接触することができるように配設されかつ配置され得る。
【００４６】
１つ以上のサイドピース７０、頂部ピース８０、及び係止ピース９０のような複数の異なるピースからなる、係止ライナー６０を形成することにより、係止ライナー６０が従来型の単一ボディの、又は一体式保護ヘルメットに対して設計の柔軟性向上を提供することが可能である。設計の柔軟性の向上は、一体式ライナーでは実現が困難であろうと思われる形状、幾何学的形態、及び向きを有する係止ライナー６０を形成することによって実現され得る。一体式ライナーの形状、幾何学的形態、及び向きを制約している条件には、発泡体又はエネルギー吸収性材料を、成形型に噴射することに対する制約条件、型成形した発泡体又はエネルギー吸収性材料を、成形型から取り出す際の制約条件、及び、一体式ライナーをマシン加工する又は一体式ライナーをテンプレート若しくは材料の標準的な半加工品（例えば、エネルギー吸収性材料のブロック）から取り外す際の制約条件が含まれる。例えば、係止ライナー６０に複数の、互いに連結するボディピースを使うことにより、単一ピースの成形型から取り外す又は引っ張り出すのが難しいか不可能であるような、ヘルメットの形状、幾何学的形態、又は向きが可能となる。非限定的な実施例の１つとして、ヘルメット４０のヘルメット形状についての設計上の柔軟性向上には、使用者の頭部の、後頭部領域の輪郭又は後頭部曲線に沿う曲率又はプロファイルを有するヘルメットが含まれ得る。更に、設計上の柔軟性向上は、係止ライナー６０を形成することにより、エネルギー吸収性材料の組み立て（例えば、ＥＰＳプレスでの作業）が単純化され得るという理由でも達成され得る。
【００４７】
図３Ｅは、図３Ｄに示されている斜視図と類似の斜視図を示し、同図は、外側シェル５０の内側で、係止ライナー６０の頂部ピース８０が、サイドピース７０と共に配置されかつそれに接するように配置された後の外側シェル５０及び係止ライナー６０の一部を示す。図３Ｅは、係止ピース９０が開口部８４内に配設され、外側シェル５０の係止機構５６に解除可能に連結される前の、係止ライナー６０内の開口部８４の上方に配設された係止ライナー６０の係止ピース９０を更に示す。図３Ｅに示すように、係止ピース９０が開口部８４内に配設されて、係止機構５６に係合し、解除可能に係止された後で、使用者が、係止ピース９０を動かし又はその位置を調節するのを可能にするようなノブ若しくはツイストタブ９０、又はその他の好適な構造（例えば、フランジ、チャネル、球溝、枝、ラッチ、凹み、タブ、リッジ、若しくはディボット）を、係止ピース９０は更に備え得る。使用者は、ノブ９８に力をかけることにより、係止ピース９０の位置を動かす又は調節することが可能で、それにより係止ピース９０を回転的に、並進的に、又はその他の任意の仕方で動かして、係止機構５６と係合させることが可能である。
【００４８】
図３Ｆは、図３Ｅの斜視図と類似の斜視図を示す。図３Ｆは、図３Ｅとは、図３Ｆが、係止ライナー６０の頂部ピース８０内の開口部８４内に、係止ライナー６０の係止ピース９０がすでに配置された後の外側シェル５０を示しているという点で異なっている。係止ピース９０は、外側シェル５０の係止機構５６の上方に、及びそれに接する状態で配設するように位置決めされ得る。更に、図３Ｆは、係止ピース９０のノブ９８が、長さＬｋと幅Ｗｋを有し、長さＬｋが幅Ｗｋよりも長く、かつ両者が直交し得ることを示す。同様に、ヘルメット４０もまた、その長さＬｈと幅Ｗｈを有し、長さＬｈが幅Ｗｈよりも長く、かつ両者が直交し得ることを示す。図３Ｆは、係止ピース９０がまず開口部８４内に挿入されたが、係止機構５６と係止される位置に移動していない状態では、ノブ９８の長さＬｋがヘルメット４０の長さＬｈに対して直交し得る又は約９０°回転した位置にあるという、非限定的実施例を示す。しかしながら、係止ピース９０が、開口部８４内の所定位置に直接的に落下し、係止機構５６と係合するために移動させられたり回転させられたりしなかった場合には、ノブ９８とヘルメット４０との間の相対的な位置関係は、任意の便利なものを採用し、又は指定することが可能である。
【００４９】
図３Ｇは、ヘルメット４０の、先に図３Ｆに示したヘルメット４０の状態の断面図を示す。図３Ｇは、リップ７２、８２、８６、及び９２が相互作用して、係止ライナー６０の、１つ以上（全部を含む）のサイドピース７０、頂部ピース８０、及び係止ピース９０を、外側シェル５０内で、いかにして１つに保持するかについての追加的詳細を提供する。図３Ｇはまた、係止ピース９０が、舌部９４及びフランジ９６を備え得るという、係止ピース９０の、非限定的な１つの実施形態について、追加的詳細を提供する。図示されているように、舌部９４は、係止機構５６の多くの部位又はピースの間に配設され得る。舌部９４はまた、１つ以上のフランジ９６を有し得るが、フランジ９６は係止機構５６の多くの部位又はピースの間に配設され得る。図３Ｇは、係止ピース９０が、挿入位置、又は、係止ピース９０が開口部８４内に配置された後、係止ピース９０が存在するであろう位置にあるのを示す。係止ピース９０が挿入される際には、係止ピース９０が、完全に開口部８４内に配設されるのを防ぎ、外側シェル５０の内面５４の中に向かって延びるのを防ぎ、あるいは、係止ピース９０が、係止機構５６に解除可能に連結される地点にまで延びるのを防ぐような、係止ピース９０の特定の向き又は位置が要求される。係止ピース９０は、例えば、フランジ９６及び係止機構５６の部位、例えば水平部位５８のような部位、との間の干渉により、開口部８４内に完全に配設されるのを防がれている。初めに挿入した後で、例えば、回転することによって、係止ピース９０を移動し、調整して、例えば、フランジ９６を、空隙、隙間、又はインターフェイス５９に配設することによって、係止ピース９０が、係止機構５６に係止されるのを可能にすることが可能である。
【００５０】
図３Ｈは、図３Ｆに示した斜視図と類似の斜視図を示す。図３Ｈは、係止ピース９０がすでに移動され、調整され、又は回転されている。ノブ９８がその挿入時の位置からすでに回転し又は移動し、係止機構５６に連結又は完全に係合しようとしているという点で図３Ｆと異なっている。ノブ９８と係止ピース９０とは、図３Ｆ中に示したノブ９８の位置から９０°回転可能で、ノブ９８の長さＬｋが、ヘルメットの長さＬｈの長さと並行又は整列するようにできる。係止ライナー６０の係止ピース９０を回転させ又は動かすことにより、係止ライナー６０の係止ピース９０と、係止ライナー６０の全体が、係止ライナー６０とヘルメット４０の外側シェル５０との間の糊剤なしの組み立ての一部として、外側シェル５０に取り外し可能に連結され得る。別の実施形態においては、係止ピース９０とヘルメットとの間で、よりしっかりとした取り付けが必要である実施形態において、硬化した、型内成形したプラスチック製係止ピース９０を、係止ライナー６０の係止ピース９０に加える場合があり得る。
【００５１】
図３Ｉは、図３Ｇに示した断面図と類似のヘルメット４０の断面図を示す。図３Ｉは、ヘルメット４０が先に図３Ｈに示された状態又は位置のヘルメット４０の断面図を示しているが、それは、係止ピース９０が、係止機構５６に解除可能に連結され、リップ７２、８２、８６、及び９２が相互作用して、係止ライナー６０の、１つ以上の（全部を含む）サイドピース７０、頂部ピース８０、及び係止ピース９０を、外側シェル５０内で１つに保持することができるようになった時点の状態又は位置である。図３Ｉはまた、係止ピース９０が、舌部９４及びフランジ９６を備え得るという、係止ピース９０の、非限定的な１つの実施形態について、追加的詳細を提供する。図３Ｉは、係止機構５６の多くの部位又はピースの間に配設される舌部９４を示し、舌部９４は、係止機構５６の多くの部位又はピースの間に配設され得る１つ以上のフランジ９６を有し得る。図３Ｉは、係止ピース９０が係止された位置、又は、係止ピース９０が、最初に挿入された後で、移動した位置にあるのを示す。図３Ｉに示すように、係止ライナー６０が、ヘルメット４０を着用している使用者にエネルギーの管理と保護を提供し得る、安全で通常の動作を実現するよう外側シェル５０内に係止ライナー６０を保持するために、係止ピース９０は、空隙、隙間、又はインターフェイス５９内に配設されるフランジ９６で、例えば回転によって位置決めされ得る。
【００５２】
図３Ｊは、図３Ｈ又は３Ｉの続きであり、任意追加的快適性パッド、快適性ライナー、又はフィッティングライナー１００を備えるヘルメット４０の、非制限的な実施例を示す。快適性パッド１００は、使用者の頭部に対して、係止ライナー６０によって作られる空間内に配設され得るが、また係止ライナー６０の内面に隣接して、かつ接触して配設され得る。快適性ライナー１００は、布、プラスチック、発泡体、ポリエステル、ナイロン、又は他の好適な材料により作製され得る。快適性ライナー１００は、共に接合することができる材料の１つ以上のパッドで形成され得るか、又はヘルメット４０に連結され得る個別の構成要素として形成され得る。快適性ライナー１００は、解除可能に又は恒久的にヘルメット４０（例えば係止ライナー６０）に取り付けられ得るが、接着剤、恒久的接着剤、ＰＳＡ、発泡体コア接着剤、テープ、両面テープ、取付発泡体接着剤、ファスナー、クリップ、クリート、切り抜き、タブ、止め金、リベット、ホッグリング、若しくは面ファスナー、又はその他の相互に係止している表面、特徴、若しくは部位を用いる。したがって、快適性ライナー１００は、クッション性とフィット感の改善とを、ヘルメット４０の着用者に提供できる。
【００５３】
有利なことに、係止ライナー６０と係止機構５６とを備えるヘルメット４０は、糊剤なしでの組み立てが可能であり、ヘルメット４０の係止ライナー６０を交換するのをより容易にすることができる。ヘルメットライナー及びエネルギー管理材料は、単発の衝撃から使用者を保護したら、交換が必要となるようにしばしば評価されているため、複数回の衝撃にも耐え得るが、エネルギー吸収材料又はライナーが恒久的に取り付けられている外側シェルは、まだ使用可能なうちにお払い箱にされ得る。本明細書において開示されるシステム、方法、及びデバイスを用いることによって、外側シェル５０は、使用済み又は損傷した係止ライナー６０を新たな係止ライナー６０と交換することにより、２回以上の衝撃に対して使用することが可能となる。ヘルメット４０の一部としての取り外し又は取り換え可能な係止ライナー６０を使用することにより、技術者又はその他の個人は、エネルギー吸収材料製の内側ライナー層のみを交換することが可能となり、外側シェル部を再利用することが可能となり、それにより、安全性を犠牲にすることなく、無駄を減らし、節約をすることができる。取り換え可能な係止ライナー６０はまた、ヘルメットの、高価な外側シェル部を交換する必要がないため、ヘルメットのリサイクルを可能にする。
【００５４】
上記の実施例、実施形態、及び実現例は、例を示しているが、意図された動作に矛盾しない、方法、システム、又は実現例の事実上あらゆる構成要素も使用可能であるため、当業者であれば、他のヘルメット及び製造装置、及び実施例が、提示される他のものと組み合わされるか、又は代替され得ることを理解するべきである。したがって、例えば、特定の構成要素の実施例が開示され得るが、かかる構成要素は、実現例の意図される目的、方法、及び／又はシステムと一貫性のある、任意の形状、サイズ、スタイル、タイプ、モデル、バージョン、クラス、グレード、測定値、濃度、材料、重量、数量などを含み得る。上記の記述が、ヘルメット用一体式防滑ストラップアジャスターの特定の実施形態を指す場合には、その趣旨から逸脱することなく、多くの修正がなされ得ること、これらの実施形態及び実現例は、他の装備類及び装備技術にも適用され得るということが容易に明らかになるはずである。したがって、開示される主題は、本開示の趣旨及び範囲内である全てのそのような変更、修正、及びバリエーション、並びに当業者の知識を包含することを意図する。したがって、本開示の実施形態は、全ての点において、例解であり、制限ではないと見なされるものとする。
【図１Ａ】
2017509808.tif 000003
【図１Ｂ】
2017509808.tif 000004
【図２Ａ】
2017509808.tif 000005
【図２Ｂ】
2017509808.tif 000006
【図３Ａ】
2017509808.tif 000007
【図３Ｂ】
2017509808.tif 000008
【図３Ｃ】
2017509808.tif 000009
【図３Ｄ】
2017509808.tif 000010
【図３Ｅ】
2017509808.tif 000011
【図３Ｆ】
2017509808.tif 000012
【図３Ｇ】
2017509808.tif 000013
【図３Ｈ】
2017509808.tif 000014
【図３Ｉ】
2017509808.tif 000015
【図３Ｊ】
2017509808.tif 000016
【国際調査報告】
2017509808.tif 000017